【手続補正書】
【提出日】平成17年10月26日(2005.10.26)
【手続補正１】
【補正対象書類名】明細書
【補正対象項目名】特許請求の範囲
【補正方法】変更
【補正の内容】
【特許請求の範囲】
【請求項１】  被露光材を載置するワークステージと、マスクパターンを有するマスクを載置するマスクステージと、前記マスクパターンを被露光材上の所定位置に対向させるようにワークステージとマスクステージとを相対的に位置決めするステージ送り機構とを備えた近接露光装置において、
前記ステージ送り機構による送り誤差がないとした場合の送り方向を基準として前記ワークステージに対するマスクの位置をパターン面内で調整するマスク位置調整手段を備えたことを特徴とする分割逐次近接露光装置。
【請求項２】  請求項１記載の分割逐次近接露光装置において、前記ワークステージの複数箇所に設けられたテーブル基準マークと該テーブル基準マークに対応して前記マスクに設けられたマスク基準マークとのずれ量を求める複数のアライメントカメラをさらに備え、前記マスク位置調整手段は前記アライメントカメラにより得られた前記テーブル基準マークとマスク基準マークとのずれ量に基づいて前記マスクの位置を調整することを特徴とする分割逐次近接露光装置。
【請求項３】  請求項１又は２記載の分割逐次近接露光装置において、前記ワークステージに設けられたミラーと、該ミラーからの反射光に基づいて前記ワークステージのヨーイングと真直度を検出するレーザ干渉計とをさらに備え、前記マスク位置調整手段は前記レーザ干渉計の検出結果に基づいて補正を加えて前記マスクの位置を調整することを特徴とする分割逐次近接露光装置。
【請求項４】  請求項２又は３記載の分割逐次近接露光装置において、前記アライメントカメラの光軸方向の位置を調整するピント調整機構をさらに備えたことを特徴とする分割逐次近接露光装置。
【請求項５】  請求項４記載の分割逐次近接露光装置において、前記ワークステージの上面と前記マスクの下面との間のギャップ量を検出するギャップセンサをさらに備え、前記ピント調整機構は前記ギャップセンサからの出力に基づいて前記アライメントカメラの光軸方向の位置を調整することを特徴とする分割逐次近接露光装置。
【請求項６】  請求項４又は５記載の分割逐次近接露光装置において、前記ピント調整機構は前記アライメントカメラにより得られた前記マスク基準マークのコントラストに基づいて前記アライメントカメラの光軸方向の位置を調整することを特徴とする分割逐次近接露光装置。
【請求項７】  請求項２〜６のいずれか一項記載の分割逐次近接露光装置において、前記テーブル基準マークを前記アライメントカメラの下方位置から投影するテーブルマーク投影光学系をさらに備えてなることを特徴とする分割逐次近接露光装置。
【請求項８】  前記テーブルマーク投影光学系は前記テーブル基準マークと前記マスク基準マークとの間に配される結像レンズを有し、該結像レンズは前記テーブル基準マークの形成位置と前記マスク基準マークの形成位置にそれぞれ焦点を有することを特徴とする請求項７記載の分割逐次近接露光装置。
【請求項９】  請求項１〜８のいずれか一項記載の分割逐次近接露光装置において、前記マスクステージ上の被露光材と前記マスクステージに保持されたマスクとのすき間を調整するギャップ調整手段をさらに備えたことを特徴とする分割逐次近接露光装置。
【請求項１０】  前記ギャップ調整手段は前記ワークステージを上下方向に駆動する上下粗動装置と、該上下粗動装置の昇降ピッチよりも小さいピッチで前記ワークステージを上下方向に駆動する上下微動機構とからなり、前記ワークステージは予め設定された目標位置まで前記上下粗動装置により上昇駆動された後、前記上下微動機構により上昇駆動されて前記マスクステージとのギャップ調整が行なわれることを特徴とする請求項９記載の分割逐次近接露光装置。
【請求項１１】  前記上下微動機構は３台の可動くさび機構からなることを特徴とする請求項１０記載の分割逐次近接露光装置。
【請求項１２】  前記マスクステージは前記マスクを吸着する真空式吸着装置を有し、前記マスクは該マスクの下面が前記マスクステージの下面よりも下方に位置するように前記真空式吸着装置に吸着されることを特徴とする請求項１〜１１のいずれか一項記載の分割逐次近接露光装置。
【請求項１３】  請求項１〜１２のいずれか一項記載の分割逐次近接露光装置において、前記マスク位置調整手段は、少なくとも一層目のパターンが形成された被露光材に別のパターンを露光するに際して、前記ステージ送り機構による基準となる送り方向に対する前記ステージ送り機構による実際の送り方向のずれ角と、前記被露光材の前記ワークステージ上への搭載時における姿勢と、前記ワークステージ送り機構による送り量と、に基づいてマスクの位置を調整することを特徴とする分割逐次近接露光装置。
【手続補正２】
【補正対象書類名】明細書
【補正対象項目名】０００５
【補正方法】変更
【補正の内容】
【０００５】
【課題を解決するための手段】
上記の目的を達成するために、請求項１に係る本発明は、被露光材を載置するワークステージと、マスクパターンを有するマスクを載置するマスクステージと、前記マスクパターンを被露光材上の所定位置に対向させるようにワークステージとマスクステージとを相対的に位置決めするステージ送り機構とを備えた近接露光装置において、前記ステージ送り機構による送り誤差がないとした場合の送り方向を基準として前記ワークステージに対するマスクの位置をパターン面内で調整するマスク位置調整手段を備えたことを特徴とする。
請求項２に係る本発明は、請求項１記載の分割逐次近接露光装置において、前記ワークステージの複数箇所に設けられたテーブル基準マークと該テーブル基準マークに対応して前記マスクに設けられたマスク基準マークとのずれ量を求める複数のアライメントカメラをさらに備え、前記マスク位置調整手段が前記アライメントカメラにより得られた前記テーブル基準マークとマスク基準マークとのずれ量に基づいて前記マスクの位置を調整することを特徴とする。
請求項３に係る本発明は、請求項１又は２記載の分割逐次近接露光装置において、前記ワークステージに設けられたミラーと、該ミラーからの反射光に基づいて前記ワークステージのヨーイングと真直度を検出するレーザ干渉計とをさらに備え、前記マスク位置調整手段が前記レーザ干渉計の検出結果に基づいて補正を加えて前記マスクの位置を調整することを特徴とする。
請求項４に係る本発明は、請求項２又は３記載の分割逐次近接露光装置において、前記アライメントカメラの光軸方向の位置を調整するピント調整機構をさらに備えたことを特徴とする。
請求項５に係る本発明は、請求項４記載の分割逐次近接露光装置において、前記ワークステージの上面と前記マスクの下面との間のギャップ量を検出するギャップセンサをさらに備え、前記ピント調整機構が前記ギャップセンサからの出力に基づいて前記アライメントカメラの光軸方向の位置を調整することを特徴とする。
請求項６に係る本発明は、請求項４又は５記載の分割逐次近接露光装置において、前記ピント調整機構は前記アライメントカメラにより得られた前記マスク基準マークのコントラストに基づいて前記アライメントカメラの光軸方向の位置を調整することを特徴とする。
請求項７に係る本発明は、請求項２〜６のいずれか一項記載の分割逐次近接露光装置において、前記テーブル基準マークを前記アライメントカメラの下方位置から投影するテーブルマーク投影光学系をさらに備えてなることを特徴とする。
請求項８に係る本発明は、請求項７記載の分割逐次近接露光装置において、前記テーブルマーク投影光学系が前記テーブル基準マークと前記マスク基準マークとの間に配される結像レンズを有し、該結像レンズが前記テーブル基準マークの形成位置と前記マスク基準マークの形成位置にそれぞれ焦点を有することを特徴とする。
請求項９に係る本発明は、請求項１〜８のいずれか一項記載の分割逐次近接露光装置において、前記マスクステージ上の被露光材と前記マスクステージに保持されたマスクとのすき間を調整するギャップ調整手段をさらに備えたことを特徴とする。
請求項１０に係る本発明は、請求項９記載の分割逐次近接露光装置において、前記ギャップ調整手段は前記ワークステージを上下方向に駆動する上下粗動装置と、該上下粗動装置の昇降ピッチよりも小さいピッチで前記ワークステージを上下方向に駆動する上下微動機構とからなり、前記ワークステージは予め設定された目標位置まで前記上下粗動装置により上昇駆動された後、前記上下微動機構により上昇駆動されて前記マスクステージとのギャップ調整が行なわれることを特徴とする。
請求項１１に係る本発明は、請求項１０記載の分割逐次近接露光装置において、前記上下微動機構が３台の可動くさび機構からなることを特徴とする。
請求項１２に係る本発明は、請求項１〜１１のいずれか一項記載の分割逐次近接露光装置において、前記マスクステージが前記マスクを吸着する真空式吸着装置を有し、前記マスクは該マスクの下面が前記マスクステージの下面よりも下方に位置するように前記真空式吸着装置に吸着されることを特徴とする。
請求項１３に係る本発明は、請求項１〜１２のいずれか一項記載の分割逐次近接露光装置において、前記マスク位置調整手段が、少なくとも一層目のパターンが形成された被露光材に別のパターンを露光するに際して、前記ステージ送り機構による基準となる送り方向に対する前記ステージ送り機構による実際の送り方向のずれ角と、前記被露光材の前記ワークステージ上への搭載時における姿勢と、前記ワークステージ送り機構による送り量と、に基づいてマスクの位置を調整することを特徴とする。
【手続補正３】
【補正対象書類名】図面
【補正対象項目名】図４
【補正方法】変更
【補正の内容】
【図４】
2000035676.tif 000001
【手続補正４】
【補正対象書類名】図面
【補正対象項目名】図５
【補正方法】変更
【補正の内容】
【図５】
2000035676.tif 000002
【手続補正５】
【補正対象書類名】図面
【補正対象項目名】図６
【補正方法】変更
【補正の内容】
【図６】
2000035676.tif 000003
【手続補正６】
【補正対象書類名】図面
【補正対象項目名】図８
【補正方法】変更
【補正の内容】
【図８】
2000035676.tif 000004
【手続補正７】
【補正対象書類名】図面
【補正対象項目名】図９
【補正方法】変更
【補正の内容】
【図９】
2000035676.tif 000005